(57)【特許請求の範囲】
【請求項１】
建築物の躯体又は間柱と、該建築物の躯体又は間柱の室内側に配置された壁冷暖房パネル壁材と、該壁冷暖房パネル壁材に隣接して配置された壁材と、を備える壁冷暖房構造であって、
前記壁冷暖房パネル壁材は溝が形成された発泡合成樹脂製又は木製の基材マット、及び前記溝に配設された熱媒体流通管を備える冷暖房パネルと、一方の面側に凹部を有する壁材と、を備え、
前記冷暖房パネルが前記一方の面側に凹部を有する壁材の前記凹部に配設され、
前記冷暖房パネルの厚さが前記一方の面側に凹部を有する壁材の前記凹部の深さ以下であり、
前記一方の面側に凹部を有する壁材に前記凹部が複数形成されており、隣り合う前記凹部同士の間の凸部が１５１．５×ｎ±２２．５ｍｍ（ｎは自然数）の間隔となっており、
前記壁冷暖房パネル壁材に隣接して配置された壁材は、前記壁冷暖房パネル壁材と略同じ厚さであり、
前記壁冷暖房パネル壁材及び前記壁冷暖房パネル壁材に隣接して配置された壁材が前記建築物の躯体又は間柱に固定部材により固定され、前記壁冷暖房パネル壁材の前記凸部が前記固定部材によって固定される、建築物の壁冷暖房構造。
【請求項２】
前記壁冷暖房パネル壁材はＪＩＳ  Ａ６９０１に従って行われた耐衝撃試験に合格する性能を有している、請求項１に記載の壁冷暖房構造。
【請求項３】
前記基材マットの室内側となる側に均熱シートを備えている、請求項１又は２に記載の壁冷暖房構造。
【請求項４】
前記基材マットに形成された前記溝が前記基材マットの厚さ方向に貫通して形成されている、請求項１乃至３のいずれかに記載の壁冷暖房構造。
【請求項５】
前記基材マットの室外側となる側において、前記溝の少なくとも一部を覆うようにシート状の部材が備えられている、請求項４に記載の壁冷暖房構造。
【請求項６】
前記壁冷暖房パネル壁材の厚さが１６ｍｍ以下である、請求項１乃至５のいずれかに記載の壁冷暖房構造。
【請求項７】
前記壁冷暖房パネル壁材の周囲に壁材を配して設置され、設置した際に隣接する該壁材の厚さと前記壁冷暖房パネル壁材の厚さとが略同一である、請求項１乃至６のいずれかに記載の壁冷暖房構造。
【請求項８】
前記壁冷暖房パネル壁材及び前記壁冷暖房パネル壁材に隣接して配置された壁材の室内側にＪＩＳ  Ａ６９２１に規定された壁紙が貼り付けられている、請求項１乃至７のいずれかに記載の壁冷暖房構造。
【請求項９】
前記壁冷暖房パネル壁材及び前記壁冷暖房パネル壁材に隣接して配置された壁材の室内側にＪＩＳ  Ａ６９２２に規定された壁紙施工用でん粉系接着剤を用いて壁紙が貼り付けられている、請求項１乃至８のいずれかに記載の壁冷暖房構造。
【発明の詳細な説明】
【技術分野】
【０００１】
本発明は、冷暖房可能な冷暖房パネルを備えた壁冷暖房パネル壁材、及び該冷暖房パネル壁材を備えた建築物の壁冷暖房構造に関するものである。
【背景技術】
【０００２】
従来、一般住宅や公共施設などの建築物において、居住空間の居住性を向上させる目的で、多様な冷暖房技術が提案され、実用化されている。その冷暖房技術の一つとして、居住空間の壁面に冷暖房機能を有した部材を設置する技術が知られている。
【０００３】
例えば特許文献１には、一方の面に刻設された溝に熱媒体を流通させるための配管が埋設された基材マットの該溝が刻設された面に、少なくとも金属薄板を有する表装材層が設けられた壁暖房パネルに関する技術が開示されている。また、特許文献２には、壁材の室内側に取り付けられる壁暖房パネルに関する技術が開示されている。また、特許文献３には、壁材の室外側面全体に暖房パネルを設置した壁暖房構造に関する技術が開示されている。さらに、特許文献４には、ＡＬＣ（autoclaved lightweight aerated concrete）板表面に穿設した凹陥部に発熱体を配し、その上にＡＬＣ板より熱伝導性が高い充填物を充填して凹陥部は閉塞されているＡＬＣヒートパネルが開示されている。
【先行技術文献】
【特許文献】
【０００４】
【特許文献１】特開２００６−２３４３４１号公報
【特許文献２】特開２０１０−７８２１１号公報
【特許文献３】特開２００４−１６３０５１号公報
【特許文献４】実公昭６２−３０３０６号公報
【発明の概要】
【発明が解決しようとする課題】
【０００５】
特許文献１及び特許文献２に開示された壁暖房パネルは、既存の壁の室内側の面に設置されるものである。このような壁暖房パネルでは、壁暖房パネルの厚さ分だけ壁が室内側に出っ張る形状となる。そのため、室内空間が狭くなるという問題があった。また、このような壁暖房パネルでは、壁の室内側の面が壁暖房パネルで占有されるため、壁面を他の用途に使用できなくなる等の問題もあった。
【０００６】
また、特許文献３に開示された壁暖房構造は、壁面全体に壁暖房パネルを設置するものである。そのため、壁の厚みが壁暖房パネルの厚さ分だけ厚くなり、室内空間が狭くなるという問題があった。また、このような構造では、壁暖房パネルに故障等の問題が生じた場合に壁面全体を補修しなければならなくなるという問題もあった。
【０００７】
さらに、特許文献４に開示されているＡＬＣヒートパネルはＡＬＣ板を用いることを必須としており、薄く形成することが困難であった。よって、上記の従来技術と同様に、室内空間が狭くなるという問題があった。また、特許文献４に開示されているＡＬＣヒートパネルはモルタルなどの充填物を用いて施工するものであり、施工や補修が容易ではなかった。またＡＬＣ材は、一般的な壁材であるせっこうボードと同じ壁面に取り付け設置することはできないという問題があった。
【０００８】
そこで本発明は、室内空間の広さを確保でき、かつ一般的な壁材として利用されるせっこうボードと、同じ仕上げ、同じ厚み、同等以上の強度にすることで、一般的な壁材と同じ壁面に取り付けすることを可能とし、多彩な内装材を使用することができ、施工や補修が容易である壁冷暖房パネル壁材、及び建築物の壁冷暖房構造を提供することを課題とする。なお、「壁冷暖房パネル壁材」とは、冷房機能及び／又は暖房機能を備えた壁材を意味する。また、「建築物の壁冷暖房構造」とは、冷房機能及び／又は暖房機能を有した建物の壁の構造を意味する。
【課題を解決するための手段】
【０００９】
以下、本発明について説明する。
【００１０】
第１の本発明は、溝が形成された発泡合成樹脂製又は木製の基材マット、及び該溝に配設された熱媒体流通管を備える冷暖房パネルと、一方の面側に凹部を有する壁材と、を備え、冷暖房パネルが壁材の凹部に配設され、冷暖房パネルの厚さが壁材の凹部の深さ以下であることを特徴とする壁冷暖房パネル壁材である。
【００１１】
第１の本発明及び以下の本発明（以下、単に「本発明」という。）において、「熱媒体流通管」とは、熱媒体（例えば、温水や冷水。）を流通させられる配管であれば特に限定されない。熱媒体流通管の具体例としては、可撓性のポリエチレンなどの合成樹脂チューブや銅管を挙げることができる。
【００１２】
第１の本発明の壁冷暖房パネル壁材は、ＪＩＳ  Ａ６９０１に従って行われた耐衝撃試験に合格する性能を有していることが好ましい。
【００１３】
第１の本発明の壁冷暖房パネル壁材がＪＩＳ  Ａ６９０１に従って行われた耐衝撃試験に合格する性能を有しているとすることによって、第１の本発明の壁冷暖房パネル壁材が冷暖房パネルを備えていない従来の壁材（例えば、せっこうボード。以下、単に「従来の壁材」ということがある。）と同等の強度を有することになるため、第１の本発明の壁冷暖房パネル壁材を、冷暖房パネルを備えていない従来の壁材と同様に取り扱うことができる。
【００１４】
また、第１の本発明の壁冷暖房パネル壁材において、基材マットの室内側となる側に均熱シートを備えていることが好ましい。
【００１５】
本発明において「室内側となる側」とは、壁冷暖房パネル壁材の使用時（施工後）において、壁冷暖房パネル壁材に備えられた冷暖房パネルが暖房又は冷房の対象とする室内側となる側を意味する。また、「均熱シート」とは、熱伝導性が高く、シート面において熱を均一化し易いシート状の部材を意味する。均熱シートの具体例としては、アルミニウムや銅などからなる金属箔を含むシートを挙げることができる。基材マットの室内側となる側に均熱シートを備えた形態とすることによって、第１の本発明の壁冷暖房パネル壁材を暖房設備として使用する場合は熱媒体流通管を流通する熱媒体が有する熱を室内に伝えやすくなり、第１の本発明の壁冷暖房パネル壁材を冷房設備として使用する場合は室内の熱を熱媒体流通管を流通する熱媒体に伝えやすくなる。
【００１６】
また、第１の本発明の壁冷暖房パネル壁材において、基材マットに形成された溝が基材マットの厚さ方向に貫通して形成されていることが好ましい。
【００１７】
基材マットに形成された溝を厚さ方向に貫通させることによって、基材マットの厚さを溝に配設される熱媒体流通管の外径と同等にすることができるため、冷暖房パネルを薄くすることが容易になる。
【００１８】
また、第１の本発明の壁冷暖房パネル壁材において、基材マットに形成された溝が基材マットの厚さ方向に貫通して形成されている場合、基材マットの室外側となる側において、溝の少なくとも一部を覆うようにシート状の部材が備えられていることが好ましい。
【００１９】
本発明において「室外側となる側」とは、壁冷暖房パネル壁材の使用時（施工後）において、壁冷暖房パネル壁材に備えられた冷暖房パネルが暖房又は冷房の対象とする室内側とは反対側となる側を意味する。基材マットに形成された溝が基材マットの厚さ方向に貫通して形成されている場合に、基材マットの室外側となる側において溝の少なくとも一部を覆うようにシート状の部材を備えることによって、熱媒体流通管が溝から外れることを防止し易くなる。
【００２０】
また、第１の本発明の壁冷暖房パネル壁材において、壁材に凹部が複数形成されており、隣り合う凹部同士の間の凸部が１５１．５×ｎ±２２．５ｍｍ（ｎは自然数。以下同じ。）の間隔となっていることが好ましい。
【００２１】
第１の本発明の壁冷暖房パネル壁材を建築物の躯体又は間柱に固定する際、冷暖房パネルが備えられている箇所を避けてビス等で固定する。このとき、隣り合う凹部同士の間の凸部の間隔、すなわち、ビス等を打ち込むことが許容される場所の間隔を１５１．５×ｎ±２２．５ｍｍとしておくことによって、尺貫法に基づいて製造されている建築物の躯体又は間柱に第１の本発明の壁冷暖房パネル壁材を固定し易くなる。
【００２２】
また、第１の本発明の壁冷暖房パネル壁材は、厚さが１６ｍｍ以下であることが好ましい。
【００２３】
第１の本発明の壁冷暖房パネル壁材の厚さを１６ｍｍ以下とすることによって、室内空間を広くすることができる。
【００２４】
また、第１の本発明の壁冷暖房パネル壁材は、周囲に壁材を配して設置され、設置した際に隣接する該壁材の厚さと略同一の厚さを有することが好ましい。
【００２５】
本発明において「略同一の厚さ」とは、実使用上同一といえる厚さを意味する。例えば、「壁冷暖房パネル壁材は、周囲に壁材を配して設置され、設置した際に隣接する該壁材の厚さと略同一の厚さを有する」とは、壁暖房パネル壁材と壁材とを、両者が隣接するとともに、両者の室外側の面が一平面を構成するように設置し、両者の室内側の面に１枚の壁紙を貼り付けた際、室内側から該壁紙を目視したときに、壁暖房パネル壁材と壁材との境界に明らかな段差が生じない程度に、壁冷暖房パネル壁材の厚さと壁材の厚さとに差がないことを意味する。第１の本発明の壁冷暖房パネル壁材を、冷暖房パネルを備えていない従来の壁材と隣接するように配置し、第１の本発明の壁冷暖房パネル壁材を隣接する従来の壁材と同等の厚さとすることによって、第１の本発明の壁冷暖房パネル壁材の施工が容易になる。
【００２６】
第２の本発明は、建築物の躯体又は間柱と、該建築物の躯体又は間柱の室内側に配置された上記第１の本発明の壁冷暖房パネル壁材と、該壁冷暖房パネル壁材に隣接して配置された壁材とを備え、壁冷暖房パネル壁材に隣接する壁材は、壁冷暖房パネル壁材と略同じ厚さであり、壁冷暖房パネル壁材及び壁材が建築物の躯体又は間柱に固定部材により固定され-、壁冷暖房パネル壁材の凸部が固定部材によって固定される、建築物の壁冷暖房構造である。
【００２７】
第２の本発明の建築物の壁冷暖房構造において、壁冷暖房パネル壁材及び該壁冷暖房パネル壁材に隣接して配置された壁材の室内側にＪＩＳ  Ａ６９２１に規定された壁紙が貼り付けられていることが好ましい。
【００２８】
ＪＩＳ  Ａ６９２１に規定された壁紙が備えられた形態とすることによって、第２の本発明の壁冷暖房構造をシックハウス対策の建築基準法に適合したものとすることができる。
【００２９】
また、第２の本発明の建築物の壁冷暖房構造において、壁冷暖房パネル壁材及び該壁冷暖房パネル壁材に隣接して配置された壁材の室内側にＪＩＳ  Ａ６９２２に規定された壁紙施工用でん粉系接着剤を用いて壁紙が貼り付けられていることが好ましい。
【００３０】
ＪＩＳ  Ａ６９２２に規定された壁紙施工用でん粉系接着剤を用いた形態とすることによって、第２の本発明の壁冷暖房構造をシックハウス対策の建築基準法に適合したものとすることができる。
【発明の効果】
【００３１】
第１の本発明の壁冷暖房パネル壁材は、凹部が形成された壁材と、該凹部に配設され、該凹部の深さより薄い冷暖房パネルとを備えている。そのため、第１の本発明の壁冷暖房パネル壁材は、冷暖房パネルを備えていない隣接する従来の壁材と同じ仕上がり厚さで冷暖房の機能を備えた壁材とすることができる。よって、第１の本発明の壁冷暖房パネル壁材によれば、室内空間の広さを確保できる。また、壁の部分的な箇所に冷暖房パネルを設置する場合も、壁材の厚みを調整する必要がなく、壁の室内側の面に段差を生じさせることもなく施工できる。さらに、壁材の室内側の面に段差を生じさせないようにすることができるので、壁紙による仕上げを行う場合、きれいに仕上げることができる。また、第１の本発明の壁冷暖房パネル壁材は、従来の壁材と同様の方法で設置することができるため、上述したような従来の壁暖房パネルに比べて施工費用、施工期間を大幅に削減して容易に施工でき、補修も容易である。
【００３２】
第２の本発明の建築物の壁冷暖房構造は、第１の本発明の壁冷暖房パネル壁材を備えており、室内空間の広さを確保でき、かつ施工や補修が容易である。
【図面の簡単な説明】
【００３３】
【図１】図１（ａ）は壁冷暖房パネル壁材１００を室外側となる側から見た図、図１（ｂ）は図１（ａ）に示したＩｂ−Ｉｂ線に沿った壁冷暖房パネル壁材１００の断面図である。
【図２】図２（ａ）は冷暖房パネル１０を室外側となる側から見た図、図２（ｂ）は図２（ａ）に示したＩＩｂ−ＩＩｂ線に沿った暖房パネル１０の断面図である。
【図３】図３（ａ）は壁材２０を室外側となる側から見た図、図３（ｂ）は図３（ａ）に示したＩＩＩｂ−ＩＩＩｂ線に沿った壁材２０の断面図である。
【図４】図４（ａ）は壁冷暖房構造１を室内側から見た図、図４（ｂ）は図４（ａ）に示したＩＶｂ−ＩＶｂ線に沿った壁冷暖房構造１の断面図である。
【発明を実施するための形態】
【００３４】
本発明の上記した作用及び利得は、次に説明する発明を実施するための形態から明らかにされる。以下、本発明を図面に示す実施形態に基づき説明する。ただし、本発明はこれら実施形態に限定されるものではない。なお、各図面は、図示と理解のしやすさの便宜上、簡略化している。また、各図面において、同様の構成のものには同じ符号を付しており、繰り返しとなる符号は一部省略している場合がある。
【００３５】
図１は、一つの実施形態にかかる本発明の壁冷暖房パネル壁材１００を概略的に示した図である。図１（ａ）は壁冷暖房パネル壁材１００を室外側となる側から見た図、図１（ｂ）は図１（ａ）に示したＩｂ−Ｉｂ線に沿った壁冷暖房パネル壁材１００の断面図である。図１（ａ）において、紙面手前側が壁冷暖房パネル壁材１００を設置した際に室外側となる側であり、紙面奥側が壁冷暖房パネル壁材１００を設置した際に室内側となる側である。図１（ｂ）においては、紙面左側が壁冷暖房パネル壁材１００を設置した際に室外側となる側であり、紙面右側が壁冷暖房パネル壁材１００を設置した際に室内側となる側である。なお、図１（ａ）及び図１（ｂ）では、後に説明する均熱シート１４、裏面シート１５及びＵ字型部材１６は省略している。
【００３６】
図１（ａ）及び図１（ｂ）に示したように、壁冷暖房パネル壁材１００は、冷暖房パネル１０、及び壁材２０を備えている。これらについて、以下に詳述する。
【００３７】
＜冷暖房パネル１０＞
図２は、壁冷暖房パネル壁材１００に備えられた冷暖房パネル１０を概略的に示した図である。図２（ａ）は冷暖房パネル１０を室外側となる側から見た図、図２（ｂ）は図２（ａ）に示したＩＩｂ−ＩＩｂ線に沿った暖房パネル１０の断面図である。図２（ａ）において、紙面手前側が壁冷暖房パネル壁材１００を設置した際に室外側となる側であり、紙面奥側が壁冷暖房パネル壁材１００を設置した際に室内側となる側である。図２（ｂ）においては、紙面下側が壁冷暖房パネル壁材１００を設置した際に室外側となる側であり、紙面上側が壁冷暖房パネル壁材１００を設置した際に室内側となる側である。なお、図２（ａ）では、後に説明する裏面シート１５及びＵ字部材１６は省略している。
【００３８】
冷暖房パネル１０は、後に説明する壁材２０に形成された凹部２１に配設されるものであり、冷暖房パネル１０の大きさは凹部２１の大きさ以下であれば良い。すなわち、平面視において、冷暖房パネル１０の短辺幅ｗ１（図２（ａ）参照）は凹部２１の短辺幅ｗ２（図３（ａ）参照）以下であり、冷暖房パネル１０の長辺幅ｗ３（図２（ａ）参照）は凹部２１の長辺幅ｗ４（図３（ａ）参照）以下である。また、冷暖房パネル１０の厚さｔ１（図２（ｂ）参照）は、壁材２０の凹部２１の深さｄ１（図３（ｂ）参照）以下である。
【００３９】
冷暖房パネル１０の短辺幅ｗ１及び長辺幅ｗ３は特に限定されないが、例えば、ｗ１＝２５８ｍｍ、ｗ３＝８１３ｍｍとすることができる。冷暖房パネル１０が大き過ぎれば、凹部２１が大きくなることによって壁材２０の強度を確保し難くなり、壁冷暖房パネル壁材１００の強度を確保し難くなる虞がある。また冷暖房パネル１０が大き過ぎると、後に説明するようにして壁冷暖房パネル壁材１００を建築物の躯体に取り付ける際に用いる固定部材を打ち込める箇所を確保し難くなる。
【００４０】
冷暖房パネル１０の厚さｔ１は特に限定されないが、５ｍｍ以上１２ｍｍ以下が好ましく、５ｍｍ以上１１ｍｍ以下がさらに好ましく、５ｍｍ以上９ｍｍ以下がより好ましい。冷暖房パネル１０の厚さｔ１は、例えば５．５ｍｍとすることができる。冷暖房パネル１０が薄過ぎれば、後に説明する熱媒体流通管１３を配設するための溝１２の深さを確保することが困難になる。また、冷暖房パネル１０が厚過ぎれば、後に説明する壁材２０の凹部２１を深くしなければならなくなるため、壁材２０を厚くしなければならないといった問題や、凹部２１を深くしたことによって壁材２０の強度を確保し難くなるなどの問題を生じる虞がある。
【００４１】
また、暖房パネル１０は、図２（ａ）及び図２（ｂ）に示したように、溝１２が形成された基材マット１１、及び溝１２に配設された熱媒体流通管１３を備えている。また、基材マット１１の室内側となる側には均熱シート１４が備えられ、反対側の面には裏面シート１５が備えられている。さらに、溝１２の少なくとも一部には、断面が略Ｕ字状のＵ字型部材１６が配設されている。これらの構成について以下に説明する。
【００４２】
基材マット１１は、熱伝導性が低い材料で構成されていることが好ましく、発泡性樹脂や木材によって構成されている。熱伝導性が低い材料で基材マット１１を構成することによって、基材マット１１の断熱性を高めることができる。また、発泡性樹脂や木材によって基材マット１１を構成することにより、基材マット１１の軽量化を図ることができる。本発明に用いることができる発泡性樹脂の具体例としては、発泡ポリプロピレン、発泡ポリスチレン、発泡ポリエチレン、発泡ポリウレタンなどを挙げることができる。発泡性樹脂を用いる場合、その発泡倍率は特に限定されないが、５倍以上５０倍以下が好ましく、１０倍以上３０倍以下がさらに好ましく、１５倍以上２０倍以下がより好ましい。発泡倍率が高いと断熱性がよくなるが、発泡倍率が高すぎると強度が低くなる。
【００４３】
溝１２は、熱媒体流通管１３を配設するための溝であって、熱媒体流通管１３を配設可能であれば、形状等は特に限定されない。溝１２の深さ（図２（ｂ）に紙面上下方向の長さ）はそこに配設される熱媒体流通管１３の外径に応じて適宜変更可能である。図２（ｂ）に例示した溝１２は、基材マット１１の厚さ方向に貫通して形成されている。このように溝１２を基材マット１１の厚さ方向に貫通した溝とすることによって、基材マット１１の厚さと溝１２の深さとが同一となる。また、このように溝１２を基材マット１１の厚さ方向に貫通して形成することによって、太い熱媒体流通管１３を溝１２に配設しつつ基材マット１１を薄くし易くなる。そのため、冷暖房パネル１０に冷暖房設備としての機能を十分に発揮させつつ、冷暖房パネル１０を薄くすることが容易になる。
【００４４】
また溝１２は、図２（ａ）に示したように、平面視において略直線状に形成されている直線部１２ａと、平面視において曲線状に形成されている曲線部１２ｂとを備えている。溝１２のうち直線部１２ａの少なくとも一部においては、図２（ｂ）に示したように、断面が略Ｕ字状のＵ字型部材１６が配設されている。Ｕ字型部材１６はＵ字状に形成されたＵ字部１６ａと、該Ｕ字部１６ａの開口部側端部から互いに離れるように形成された固定片１６ｂ、１６ｂとを備えている。Ｕ字部１６ａは溝１２に嵌めこまれて、固定片１６ｂ、１６ｂは基材マット１１に固定される。このようなＵ字型部材１６を用いることによって、Ｕ字型部材１６を介して熱媒体流通管１３を溝１２に固定し易くなる。Ｕ字型部材１６のＵ字部１６ａは熱媒体流通管１３の一部に接するように形成されており、Ｕ字型部材１６を介して熱媒体流通管１３を流通する熱媒体の熱を均熱シート１４等に伝えることができる。Ｕ字型部材１６を介して熱媒体流通管１３を流通する熱媒体の熱を均熱シート１４等に伝え易くする等の観点からは、Ｕ字型部材１６は熱伝導率が高い材料によって構成されていることが好ましい。Ｕ字型部材１６を構成する材料の具体例としては、アルミニウムを挙げることができる。
【００４５】
熱媒体流通管１３は熱媒体（温水又は冷水など。）を流通させるための配管であって、熱媒体を流通させることが可能で、基材マット１１に形成されている溝１２に配設でき、冷暖房パネル１０の使用時の環境に耐え得るものであれば特に限定されない。熱媒体流通管１３の具体例としては、架橋ポリエチレンやポリブテン等の樹脂製の配管を挙げることができる。また、熱媒体流通管１３として樹脂製の配管のように柔軟性を有する配管を用いる場合、溝１２の深さより外径が若干太い配管を用いることもできる。熱媒体流通管１３の外径は特に限定されないが、溝１２の深さに対して８０％以上１１０％以下が好ましく、９０％以上１０５％以下がより好ましく、９５％以上１００％以下がさらに好ましい。この範囲であれば、柔軟性を有する熱媒体流通管１３が基材マット１１に形成されている溝１２に適度に収まり、熱媒体流通管１３を固定することができる。
【００４６】
壁冷暖房パネル壁材１００に複数の冷暖房パネル１０が備えられる場合は、図１（ａ）に示したように、それぞれの冷暖房パネル１０に備えられる熱媒体流通管１３を直列に接続することが好ましい。このように直列に接続されて一繋がりの管となった熱媒体流通管１３は、一方の端１３ａからは熱媒体が供給されるとともに、他方の端１３ｂからは該熱媒体が排出されるように、熱源機等に接続する。ただし、本発明において、冷暖房パネルは複数系統の熱媒体流通管を有していてもよい。
【００４７】
均熱シート１４は、基材マット１１の室内側となる側に配設されている。均熱シート１４は、基材マット１１の室内側となる側の面の全面に配設されていることが好ましい。かかる形態とすることで、熱媒体流通管１３を流通する熱媒体の熱を壁材２０へと効率良く伝え（又は、壁材２０の熱を熱媒体流通管１３を流通する熱媒体へと効率良く伝え）、室内温度を適切に調整し易くなる。本発明に用いることができる均熱シート１４は、熱伝導性が高いシート状の部材であれば特に限定されない。均熱シート１４の具体例としては、アルミニウムや銅などからなる金属箔を挙げることができる。均熱シート１４を基材マット１１の室内側に配設する方法は特に限定されないが、例えば、公知の接着剤を用いて基材マット１１に貼合することが考えられる。均熱シート１４は単層で構成されていても複層で構成されていてもよいが、熱伝導を良好にするという観点からは、均熱シート１４は単層で構成されていることが好ましい。また、均熱シート１４の厚さは特に限定されないが、例えば均熱シート１４として単層のアルミニウム箔を用いる場合は１０μｍ以上２００μｍ以下が好ましく、２０μｍ以上１５０μｍ以下がより好ましく、３０μｍ以上１００μｍ以下がさらに好ましい。この範囲であれば、均熱シート１４は良好な熱伝導性を確保でき、また適度な強度を有することになり基材マット１１への貼付け作業が容易となる。
【００４８】
裏面シート１５は、基材マット１１の室外側となる側において、溝１２の少なくとも一部を覆うようにして配設されたシート状の部材である。上述したように溝１２が基材マット１１の厚さ方向に貫通している場合、裏面シート１５を備えた形態とすることによって、厚さ方向に貫通した溝１２から熱媒体流通管１３が外れることを防止し易くなる。裏面シート１５は熱伝導率の低いものが好ましい。裏面シート１５としては、例えば、不織布や、ポリエチレンテレフタレート（ＰＥＴ）等の樹脂製のフィルムなどを用いることができる。
【００４９】
＜壁材２０＞
次に、壁材２０について説明する。図３は、壁冷暖房パネル壁材１００に備えられた壁材２０を概略的に示した図である。図３（ａ）は壁材２０を室外側となる側から見た図、図３（ｂ）は図３（ａ）に示したＩＩＩｂ−ＩＩＩｂ線に沿った壁材２０の断面図である。図３（ａ）において、紙面手前側が壁冷暖房パネル壁材１００を設置した際に室外側となる側であり、紙面奥側が壁冷暖房パネル壁材１００を設置した際に室内側となる側である。図３（ｂ）においては、紙面左側が壁冷暖房パネル壁材１００を設置した際に室外側となる側であり、紙面右側が壁冷暖房パネル壁材１００を設置した際に室内側となる側である。
【００５０】
壁材２０の大きさ、すなわち、壁冷暖房パネル壁材１００の大きさは特に限定されない。ただし、横幅ｘ及び縦幅ｙ（図３（ａ）参照）は１５１．５×ｍ±２２．５ｍｍ（ｍは自然数。以下同じ。）であることが好ましい。かかる形態とすることによって、尺貫法に基づいて作製された建築物の躯体に壁冷暖房パネル壁材１００を固定し易くなる。とりわけ横幅ｘ及び縦幅ｙは６０６±２２．５ｍｍ又は９０９±２２．５ｍｍであることが好ましい。
【００５１】
また、壁材２０の厚さ、すなわち、壁冷暖房パネル壁材１００の厚さｔ２（図３（ａ）参照）は特に限定されないが、部屋の居住空間を確保するためにはｔ２は厚くないことが好ましい。このことよりｔ２は１６ｍｍ以下であることが好ましい。
【００５２】
また、壁材２０の強度を保持するため、凹部２１における壁材２０の厚さ（ｔ２−ｄ１）は４ｍｍ以上であることが好ましい。このようにして壁材２０に所定の強度を持たせることによって、壁冷暖房パネル壁材１００を従来の壁材と同程度の厚さとした場合であっても、壁冷暖房パネル壁材１００を従来の壁材と同程度の強度とし易くなる。後述するように、壁冷暖房パネル壁材１００は従来の壁材を周囲に配置するようにして、従来の壁材と同一面に配置することができる。このとき、壁冷暖房パネル壁材１００が従来の壁材と略同じ厚さで従来の壁材と略同じ強度を有することによって、壁冷暖房パネル壁材１００を従来の壁材と同様に取り扱うことができ、壁冷暖房パネル壁材１００の施工が容易になる。
【００５３】
図３（ａ）及び図３（ｂ）に示したように、壁材２０は、一方の面側に凹部２１を有している。凹部２１は、暖房パネル１０を配設可能な大きさであれば特に限定されないが、後述するように凹部２１と凹部２１との間の凸部２２には壁冷暖房パネル壁材１００を建築物の躯体又は間柱に固定するためのビス等を打ち込むため、該ビス等を打ち込みやすい程度の凸部２２を確保できるように凹部２１を形成することが好ましい。凹部２１の短辺幅ｗ２及び長辺幅ｗ４は、例えば、ｗ２＝２６２ｍｍ、ｗ４＝８１９ｍｍとすることができる。凹部２１が大き過ぎると、壁材２０の強度を確保し難くなる虞がある。
【００５４】
凹部２１の深さｄ１は、暖房パネル１０の厚さｔ１以上であればよい。すなわち、ｔ１≦ｄ１であればよい。かかる形態とすることによって、壁材２０の凹部２１に冷暖房パネル１０を配設したとき、壁材２０の室外側となる側の面から冷暖房パネル１０が突出することを防止できる。凹部２１の深さｄ１は特に限定さればいが、凹部２１が深すぎれば、壁材２０の強度を確保し難くなる虞がある。よって、凹部２１の深さｄ１は壁材２０の厚さｔ２等にもよるが、５．５ｍｍ以上１２．５ｍｍ以下が好ましく、５．５ｍｍ以上１１．５ｍｍ以下がより好ましく、５．５ｍｍ以上９．５ｍｍ以下がさらに好ましい。例えば、凹部２１の深さｄ１は６ｍｍとすることができる。これにより、壁材２０の強度は保ちつつ暖房パネル１０を凹部２１内に収めることができる。
【００５５】
壁材２０には、そこに配設される冷暖房パネル１０の数に応じて複数の凹部２１が形成されている。そして、隣り合う凹部２１同士の間には凸部２２が形成されている。凸部２２は、壁材２０の強度確保の目的に加えて、後に説明するように壁冷暖房パネル壁材１００を建築物の躯体又は間柱に固定するための固定部材を打ち込むために形成されている。壁冷暖房パネル壁材１００を建築物の躯体又は間柱に固定する際、冷暖房パネル１０が備えられている箇所を避けてビス等で固定する必要があるからである。そして、隣り合う凸部２２の間隔ｐ１は、１５１．５×ｎ±２２．５ｍｍであることが好ましい。凸部２２の間隔ｐ１を１５１．５×ｎ±２２．５ｍｍとすることによって、尺貫法に基づいて製造されている建築物の躯体又は間柱に壁冷暖房パネル壁材１００を固定し易くなる。例えば、凸部２２の間隔ｐ１は、３０３ｍｍとすることができる。
【００５６】
壁材２０の材質は特に限定されないが、凹部２１に冷暖房パネル１０を配設した状態で、通常に使用される従来の壁材と同等の強度を有することが好ましい。かかる形態とすることによって壁冷暖房パネル壁材１００が従来の壁材と同等の強度を有することになるため、壁冷暖房パネル壁材１００を従来の壁材と同様に取り扱うことができる。上記の観点から、壁材２０は、ＪＩＳ  Ａ６９０１（せっこうボード製品）に従って行われた耐衝撃試験（おもりの落下高さを５００ｍｍ）に合格できるものであることが好ましい。このような壁材２０としては、例えば、住友林業クレスト社製のガイナーパネル（厚さ１２．５ｍｍ）や強化せっこうボード（ＪＩＳ  Ａ６９０１：ＧＢ−Ｆ、厚さ１５ｍｍ）等を挙げることができる。
【００５７】
これまでに説明したように、本発明の壁冷暖房パネル壁材は、凹部が形成された壁材と、該凹部に配設され、該凹部の深さより薄い冷暖房パネルとを備えている。そのため、本発明の壁冷暖房パネル壁材は、暖房パネルを設置していない従来の壁材と同じ仕上がり厚さで壁冷暖房の機能を有することができる。よって、本発明の壁冷暖房パネル壁材によれば、室内空間の広さを確保できる。また、壁の部分的な箇所に暖房パネルを設置する場合も、壁材の厚みを調整する必要がなく、壁の室内側の面に段差を生じさせることもなく施工できる。さらに、本発明の壁冷暖房パネル壁材は壁材の室内側の面に段差を生じさせないようにすることができるので、壁紙による仕上げを行う場合、きれいに仕上げることができる。また、本発明の壁冷暖房パネル壁材は、従来の壁材の同様の方法で設置することができるため、従来の壁冷暖房パネルに比べて施工費用、施工期間を大幅に削減して容易に施工でき、補修も容易である。
【００５８】
次に、本発明の建築物の壁冷暖房構造について説明する。図４は、一つの実施形態にかかる本発明の壁冷暖房構造１を概略的に示した図である。図４（ａ）は壁冷暖房構造１を室内側から見た図、図４（ｂ）は図４（ａ）に示したＩＶｂ−ＩＶｂ線に沿った壁冷暖房構造１の断面図である。図４（ａ）において、紙面手前側が壁冷暖房構造１の室内側であり、紙面奥側が壁冷暖房構造１の室外側である。図４（ｂ）においては、紙面下側が壁冷暖房構造１の室内側であり、紙面上側が壁冷暖房構造１の室外側である。なお、図４（ａ）では、後に説明する接着剤５、壁紙６、及び固定部材７は省略し、壁冷暖房パネル壁材１００及び壁材２を示している。
【００５９】
図４（ａ）に示したように、壁冷暖房構造１は壁冷暖房パネル壁材１００及び壁材２を備えており、壁冷暖房パネル壁材１００の周囲に壁材２が配置されている。壁材２としては、従来の壁材と同様のものを特に限定することなく用いることができる。壁冷暖房パネル壁材１００は、このような壁材２と略同一の厚さとなるように形成されている。上述したように、「略同一の厚さ」とは、実使用上同一といえる厚さを意味する。すなわち、図４（ｂ）に示したように壁暖房パネル壁材１００及び壁材２が隣接するとともに両者の室外側の面が一平面を構成するように設置され、両者の室内側に１枚の壁紙６を貼り付けた際、室内側から壁紙６を目視したときに、壁暖房パネル壁材１００と壁材２との境界に明らかな段差が生じない程度に、壁冷暖房パネル壁材１００の厚さと壁材２の厚さとには差がない。このように壁冷暖房パネル壁材１００の厚さと壁材２の厚さとを略同一とすることによって、壁冷暖房構造１を施工し易くなる。また、壁冷暖房構造１は、壁冷暖房パネル壁材１００を備えているため、上述したように室内空間の広さを確保でき、かつ施工や補修が容易である。
【００６０】
また、図４（ｂ）に示したように、壁冷暖房構造１は、建築物に備えられた躯体又は間柱４を備えており、壁冷暖房パネル壁材１００及び壁材２は該躯体又は間柱４の室内側に配置されている。さらに、壁冷暖房パネル壁材１００及び壁材２は、固定部材７により建築物の躯体又は間柱４に固定されている。固定部材７は特に限定されず、例えばビスや釘などを用いることができる。上述したように、壁冷暖房パネル壁材１００の横幅ｘは６０６±２２．５ｍｍ、又は９０９±２２．５ｍｍであることが好ましい。例えば、壁冷暖房パネル壁材１００の横幅ｘが６０６ｍｍの場合は、壁冷暖房パネル壁材１００の横方向（図４の紙面左右方向）において、間柱４の間隔を３０３ｍｍピッチとし、壁冷暖房パネル壁材１００を固定部材７によって３０３ｍｍピッチで間柱４に固定することが好ましい。壁冷暖房パネル壁材１００の横幅ｘが９０９ｍｍの場合は、壁冷暖房パネル壁材１００の横方向において、間柱４の間隔を３０３ｍｍ又は４５４．５ｍｍピッチとし、壁冷暖房パネル壁材１００を固定部材７によって３０３ｍｍ又は４５４．５ｍｍピッチで間柱４に固定することが好ましい。また、壁冷暖房パネル壁材１００を躯体又は間柱４に固定する際、誤って冷暖房パネル１０が埋め込まれている位置で固定部材７を用いると、冷暖房パネル１０に備えられた熱媒体流通管１３等が破損する虞がある。そのため、ビス止めや釘打ちが許容される箇所の表面に、ビス止めや釘打ちが可能であることを明記することがより好ましい。
【００６１】
壁冷暖房構造１を施工するには、上述したように壁冷暖房パネル壁材１００及び壁材２を固定部材７により建築物の躯体又は間柱４に固定した後、固定部材７が打ち込まれた部分の表面、並びに、壁材２同士の境界３ａ及び壁材２と壁冷暖房パネル壁材１００との境界３ｂ等にパテを塗り込み、パテが乾燥したらヤスリ等で段差を除去する。その後、壁冷暖房パネル壁材１００及び壁材２の室内側に、接着剤５を用いて壁紙６が貼り付ける。
【００６２】
接着剤５は、ＪＩＳ  Ａ６９２２に規定された壁紙施工用でん粉系接着剤であることが好ましい。また、壁紙６は、ＪＩＳ  Ａ６９２１に規定された壁紙であることが好ましい。このような接着剤、壁紙を使用することによって、壁冷暖房構造１をシックハウス対策の建築基準法に適合したものとすることができる。
【符号の説明】
【００６３】
１  壁冷暖房構造
２  壁材
３ａ、３ｂ  境界
４  間柱
５  接着剤
６  壁紙
７  固定部材
１０  冷暖房パネル
１１  基材マット
１２  溝
１２ａ  直線部
１２ｂ  曲線部
１３  熱媒体流通管
１４  均熱シート
１５  裏面シート
１６  Ｕ字型部材
１６ａ  Ｕ字部
１６ｂ  固定片
２０  壁材
２１  凹部
２２  凸部
１００  壁冷暖房パネル壁材
【図１】
0005943567.tif 000002
【図２】
0005943567.tif 000003
【図３】
0005943567.tif 000004
【図４】
0005943567.tif 000005